(57)【特許請求の範囲】
【請求項１】
弾性部を備えたダンパにおいて、
上記弾性部が支持される支持部と、
上記支持部の外縁部から、外方に向かって突出する少なくとも１つの鍔部と、
上記鍔部の根元に設けられると共に上記支持部の軸方向に沿って設けられる中空部と、
上記鍔部の一方の面であって上記中空部の外方にかつ周方向に間隔をあけて設けられる２つの軸方向に突出する突起と、
を有していることを特徴とするダンパ。
【請求項２】
前記中空部は、前記鍔部を貫通し、かつ周方向に長い長穴とされていることを特徴とする請求項１記載のダンパ。
【請求項３】
前記鍔部の他方の面であって前記２つの突起よりも外側の２箇所の位置に軸方向に突出する第２の突起が形成されていることを特徴とする請求項１または２記載のダンパ。
【請求項４】
前記鍔部における前記２つの第２の突起の間には、前記第２の突起と同方向に突出する凸部が設けられていることを特徴とする請求項３記載のダンパ。
【請求項５】
弾性部を備えたダンパを、取付部材に取り付けるダンパの取付機構において、
上記取付部材は、
平坦面を有する平板部と、
上記平板部に設けられる上記ダンパが挿入される挿入穴と、
上記平坦面との間に軸方向において隙間を有する形態で、上記挿入穴の外縁部近傍から上記挿入穴の中心方向に向かって延出する少なくとも１つの鉤部と、
を有し、
上記ダンパは、
外方に向かって突出する少なくとも１つの鍔部と、
上記鍔部の根元に設けられると共に上記支持部の軸方向に沿って設けられる中空部と、
上記鍔部の一方の面であって上記中空部の外方にかつ周方向に間隔をあけて設けられる２つの軸方向に突出する突起と、
を有し、
上記ダンパを上記挿入穴に挿入し、上記鍔部の平面を上記取付部材の上記平坦面と当接させながら、上記鍔部を上記鉤部と上記平坦面との間に形成される上記隙間に嵌め込むと共に、上記鉤部の周方向の両側を上記２つの突起の間に挟み込み、かつ上記鉤部の先端が上記中空部内に入り込むことを特徴とするダンパの取付機構。
【請求項６】
前記中空部は、前記鍔部を貫通し、かつ周方向に長い長穴とされていることを特徴とする請求項５記載のダンパの取付構造。
【請求項７】
前記鍔部の他方の面であって前記２つの突起よりも外側の２箇所の位置に軸方向に突出する第２の突起を形成し、当該第２の突起を前記平旦面に当接させて、前記第２の突起の突出方向に凸状に撓ませたことを特徴とする請求項５または６記載のダンパの取付機構。
【請求項８】
前記鍔部における前記２つの第２の突起の間に、前記第２の突起と同方向に突出する凸部を設け、その凸部を前記挿入穴の外周に前記挿入穴と連通するように設けられる係合穴に挿入させたことを特徴とする請求項７記載のダンパの取付機構。
【請求項９】
請求項５から８のいずれか１項記載のダンパの取付機構を有するオーディオ装置。
【発明の詳細な説明】
【技術分野】
【０００１】
本発明は、ダンパおよびダンパの取付機構ならびにオーディオ装置に関する。
【背景技術】
【０００２】
従来から、ＣＤプレーヤ等光ディスクの記録または再生機能を有する音響機器において特に車載機器では、その筐体の内部に配置される再生ユニットに外部からの振動をそのまま伝えないように、該再生ユニットと筐体との間にダンパ等の弾性部材を介在させている。
【０００３】
特許文献１には、シリコンオイル等の高粘性の流体が封入された容器を保護部に形成された凹部内に配置させ、当該容器と保護部の底面とを接着等により固定したダンパが開示されている。また、このダンパを筐体に取り付けるための手段として、ホルダ等で押さえつける方法が採用されている。
【０００４】
また、特許文献２には、中空ダンパに形成される溝を板状部材に形成される切り欠きに滑り込ませた後、固定部材を装着することで、中空ダンパを板状部材に係止させて、中空ダンパを板状部材に取り付けるダンパの取付機構が開示されている。
【０００５】
【特許文献１】特開平９−１１２６２５号公報（図２）
【特許文献２】特開平１１−６３０５７号公報（要約書、図１〜図３）
【発明の開示】
【発明が解決しようとする課題】
【０００６】
特許文献１に開示されているダンパでは、容器と保護部の底面とを接着等により固定している。このため、接着剤の接着力が弱まった場合に、容器が保護部に対して位置ずれする虞がある。また、ダンパは、固定ホルダ等で押さえつけることによって筐体に面接触のみの状態で固定されている。このため、ダンパは筐体に対して強固に固定されているとはいえず、ダンパが筐体に対して位置ずれする虞が有る。
【０００７】
特許文献２に開示されているダンパの取付機構では、固定部材を装着することによって中空ダンパを板状部材に係止させているものの、中空ダンパを板状部材に対して横方向に滑り込ませている。このため、横方向に対する固定強度が大きいとはいえず、横方向に向かってガタが発生する虞がある。
【０００８】
本発明は、かかる問題に鑑みてなされたものであり、その目的とするところは、ガタツキが発生することなく、取付部材に対して強固に固定することが可能なダンパおよびダンパの取付機構を提供しようとするものである。
【課題を解決するための手段】
【０００９】
上記課題を解決するために、本発明は、弾性部を備えたダンパにおいて、弾性部が支持される支持部と、支持部の外縁部から、外方に向かって突出する少なくとも１つの鍔部と、鍔部の根元に設けられると共に支持部の軸方向に沿って設けられる中空部と、鍔部の一方の面であって中空部の外方にかつ周方向に間隔をあけて設けられる２つの軸方向に突出する突起とを有しているものである。
【００１０】
また、他の発明は、上述の発明に加えて更に、中空部は、鍔部を貫通し、かつ周方向に長い長穴とされているものである。
【００１１】
さらに、他の発明は、上述の発明に加えて更に、鍔部の他方の面であって２つの突起よりも外側の２箇所の位置に軸方向に突出する第２の突起が形成されているものである。
【００１２】
さらに、他の発明は、上述の発明に加えて更に、鍔部における２つの第２の突起の間には、第２の突起と同方向に突出する凸部が設けられているものである。
【００１３】
また、本発明は、弾性部を備えたダンパを、取付部材に取り付けるダンパの取付機構において、取付部材は、平坦面を有する平板部と、平板部に設けられるダンパが挿入される挿入穴と、平坦面との間に軸方向において隙間を有する形態で、挿入穴の外縁部近傍から挿入穴の中心方向に向かって延出する少なくとも１つの鉤部と、を有し、ダンパは、外方に向かって突出する少なくとも１つの鍔部と、鍔部の根元に設けられると共に支持部の軸方向に沿って設けられる中空部と、鍔部の一方の面であって中空部の外方にかつ周方向に間隔をあけて設けられる２つの軸方向に突出する突起と、を有し、ダンパを挿入穴に挿入し、鍔部の平面を取付部材の平坦面と当接させながら、鍔部を鉤部と平坦面との間に形成される隙間に嵌め込むと共に、鉤部の周方向の両側を２つの突起の間に挟み込み、かつ鉤部の先端が中空部内に入り込むものである。
【００１４】
また、他の発明は、上述の発明に加えて更に、中空部は、鍔部を貫通し、かつ周方向に長い長穴とされているものである。
【００１５】
さらに、他の発明は、上述の発明に加えて更に、鍔部の他方の面であって２つの突起よりも外側の２箇所の位置に軸方向に突出する第２の突起を形成し、当該第２の突起を平旦面に当接させて、第２の突起の突出方向に凸状に撓ませたものである。
【００１６】
また、他の発明は、上述の発明に加えて更に、鍔部における２つの第２の突起の間に、第２の突起と同方向に突出する凸部を設け、その凸部を挿入穴の外周に挿入穴と連通するように設けられる係合穴に挿入させたものである。
【００１７】
また、他の発明は、本発明のダンパの取付機構を有するオーディオ装置としたものである。
【発明の効果】
【００１８】
本発明によると、ダンパをガタつくことなく、取付部材に対して強固に固定することができる。
【発明を実施するための最良の形態】
【００１９】
まず、本発明の一実施の形態に係るオイルダンパ１０の構成について図面を参照しながら説明する。
【００２０】
なお、以下の説明において、図１〜７、図９および図１０に示す矢示Ｘ１方向を左、矢示Ｘ２方向を右、このＸ１方向とＸ２方向と水平方向で直交する方向となる矢示Ｙ１方向を前、矢示Ｙ２方向を後、このＸＹ平面と直交する方向の矢示Ｚ１方向を表および矢示Ｚ２方向を裏とそれぞれ規定する。
【００２１】
図１は、本発明の一実施の形態に係るオイルダンパ１０の斜視図である。図２は、本発明の一実施の形態に係るオイルダンパ１０の平面図である。図３は、図２中のオイルダンパ１０をＡ−Ａ線で切断した断面図である。図４は、図１中のオイルダンパ１０を矢示Ｂ方向から見た側面図である。図５は、図１中のオイルダンパ１０を矢示Ｃ方向から見た側面図である。図６は、本発明の一実施の形態に係るオイルダンパ１０の底面図である。
【００２２】
オイルダンパ１０は、例えば、ＣＤプレーヤー等の音響機器の内部に配置される再生ユニット等を、シャーシ等の筐体に対して弾性的に支持し、該再生ユニットに外部からの振動がそのまま伝わるのを防止するために用いられる。すなわち、再生ユニットに伝わる振動をオイルダンパ１０によってやわらげている。図１や図３に示すように、オイルダンパ１０は、弾性を有するキャップ形状の容器体１２と箱形状の基台部１３との間に設けられる密閉空間１５に高粘性の流体となるシリコンオイル１６を封入して構成される。このオイルダンパ１０は、容器体１２が裏側に向かって押圧されると、容器体１２の弾性力に加えて、該容器体１２がシリコンオイル１６の粘性力によって元の状態に復元しようとする。このように、容器体１２とシリコンオイル１６とによって弾性を有する弾性部が構成されている。
【００２３】
容器体１２は、肉厚の薄い単一の弾性材料から形成されており、裏側から表側に向かって、略円柱状の形態で２段に渡って押し出されるように構成されている。このため、容器体１２の裏側には、裏側に向かって開口する開口空間１７が形成されている。上述したように、略円柱状の形態で２段に渡って押し出されていることから、容器体１２は、下段部２０と、該下段部２０から表側に向かって突出する上段部２１とを有する（図１等参照）。上段部２１は下段部２０よりも直径が小さくなるように設けられる。また、上段部２１の天面２２の略中央部には、略円柱状の形態で裏側に向かって窪む窪み部２３が設けられている（図１から図３参照）。また、下段部２０の外縁部からは周方向外方に向かって延出する外方延出部２４が設けられている。該外方延出部２４は下段部２０から外方に延出した後、裏側に向かって延出している（図３等参照）。
【００２４】
基台部１３は、図１や図３等に示すように、中央に位置する基部２５と、該基部２５から左右方向外方に向かって一対に延出する鍔部２６，２６とを有する。基部２５は、略円盤状の形態を有する大径の円盤部２７と、円盤部２７より小径で、かつ円盤部２７の略中央から表側に向かって略円柱状に突出する支持部２８を有する。この支持部２８は上述した弾性部を支持する機能を果たしている。図３に示すように、支持部２８の表側の略中央には裏側に向かって略円柱状にくり抜かれた柱状凹部３０が設けられている。また、柱状凹部３０の外側を囲む周壁部３１の外周部の表側には、裏側に向かって一段低くなるような段差部３２が全周に亘って形成されている。この段差部３２に、容器体１２の外方延出部２４を嵌め込むと共に、これらの間に接着剤等を介在させることにより、容器体１２が支持部２８に対して気密に固定される。このため、開口空間１７と柱状凹部３０とにより密閉空間１５が形成されるような構成となっている。なお、シリコンオイル１６を開口空間１７および柱状凹部３０に充填した状態で、容器体１２と基台部１３とを密閉することにより、シリコンオイル１６は密閉空間１５内に封入される。
【００２５】
図１および図２等に示すように、鍔部２６は、その外周面が円弧状の形態をもって外方に延出する鍔板部３４を有している。また、鍔板部３４の側面３５は、外方に行くほど鍔部２６の周方向幅が狭くなるように、図２のＡ−Ａ線を中心として対称的に配置される傾斜する平坦な面となっている（図２参照）。さらに、鍔板部３４は、その裏側面３６が円盤部２７の上端面２７ａと略同一の高さとなるように、円盤部２７の高さより一段高い位置から外方に向かって延出している（図３、図４等参照）。
【００２６】
基部２５から延出する鍔板部３４の前後両側の付け根部分には、表側に向かって略Ｖの字状の形態で突出する第２の突起となる根元部３７，３７が形成されている。根元部３７は平坦な天面３７ａを有している。また、根元部３７のＶ字の一端３７ｂおよびＶ字の他端３７ｃの先端には、先端に行くに従い、鍔板部３４に向かって下方に傾斜するテーパ面３７ｄおよびテーパ面３７ｅがそれぞれ形成されている。さらに、根元部３７のＶ字の付け根部分にも円盤部２７側に向かって下方に傾斜するテーパ面３７ｆが形成されている（図２等参照）。４つの根元部３７は、図２のＡ−Ａ線を中心として対称形の形状かつ配置になっていると共に、Ａ−Ａ線に直交し窪み部２３の中心を通るＹ方向の線を中心として対称の形状かつ配置になっている。このような形状かつ配置は他の部材についても同様とされている。
【００２７】
また、鍔板部３４において円盤部２７と隣接する位置からは上方に向かって略円弧状の形態を有する凸部となる円弧凸部４０が表側に向かって突出している。この円弧凸部４０は、円盤部２７の円形外周面から外方にも突出している。この円弧凸部４０は、図２のＡ−Ａ線を通るＸＺ平面を中心として前後に対称となるように鍔板部３４の前後方向略中央に設けられている。円弧凸部４０は平坦な天面４０ａを有している。また、円弧凸部４０の周方向外側には略円弧状の形態を有する長穴となり、中空部となる円弧穴４１が鍔板部３４を表裏に貫通するように設けられている。この円弧穴４１も円弧凸部４０と同様、図２のＡ−Ａ線を通るＸＺ平面を中心として前後に対称となるように鍔板部３４の前後方向略中央に設けられている。円弧穴４１の周方向の長さは、円弧凸部４０の長さと略同一とされている。
【００２８】
また、図３から図６に示すように、鍔板部３４における１つの円弧穴４１の外側の位置からは裏側に向かって２つのＶ字状の突起４２，４２が突出している。図５に示すように、突起４２は裏側面３６から前後方向に所定の間隔を隔てて、略Ｖ字状の形態で突出している。当該突起４２，４２は図２のＡ−Ａ線を通るＸＺ平面を中心として前後に対称となるよう設けられている。突起４２は略Ｖ字状の形態で突出しているため、突起４２は、図２のＡ−Ａ線側に向かって傾斜する内側斜面４２ａを有すると共に、外側に向かって傾斜する外側斜面４２ｂを有する。２つの突起４２，４２の間では、内側斜面４２ａ，４２ａは対向するように形成されている。外側斜面４２ｂの傾斜は内側斜面４２ａの傾斜に比べ緩やかな傾斜とされている。
【００２９】
次に、本発明の一実施の形態に係るオイルダンパ１０をシャーシ５０に取り付ける取付機構について説明する。
【００３０】
図７はオイルダンパ１０をシャーシ５０に取り付ける前の状態を示す斜視図である。図８は、オイルダンパ１０（の容器体１２）をシャーシ５０の挿入穴５３に挿入した直後の状態を示す平面図である。図９は、オイルダンパ１０をシャーシ５０に取り付けた状態を示す平面図である。図１０は、オイルダンパ１０をシャーシ５０に取り付けた状態を説明するための図であり、図９中のＤ−Ｄ線で切断した断面図である。なお、図８における時計回り方向および反時計回り方向をそれぞれ時計回り方向および反時計回り方向とする。
【００３１】
オイルダンパ１０は取付部材となるシャーシ５０に取り付けられる。また、図７に示すように、オイルダンパ１０はシャーシ５０の裏側から取り付けられ、例えば、該シャーシ５０の表側に配置されるオーディオ装置の再生デッキ６０等の音響機器を支持する。シャーシ５０は、表裏に平坦面５１を有する略平板状の平板部５２を備えている。また、平板部５２にはオイルダンパ１０の容器体１２が挿入される挿入穴５３が設けられている。挿入穴５３は、略円形状の円形穴部５４と、円形穴部５４の両側から法線方向外方に向かって略矩形状の形態で切り欠かれた一対の係合穴となる矩形穴部５５，５５とを有する。また、矩形穴部５５の外縁部５５ａからは側面視して略Ｌ字状の形態を有する鉤部５７，５７が軸方向（この実施の形態では裏面側）に立ち上がり、かつ円形穴部５４の中心に向かって伸びている。鉤部５７，５７は、対向するように一対に設けられている。具体的には、鉤部５７は、外縁部５５ａから裏側に向かって延出する上方延出部５７ａと、上方延出部５７ａの先端から円形穴部５４の中心に向かって延出する内方延出部５７ｂとを有する。このため、内方延出部５７ｂと平板部５２との間には軸方向（＝高さ方向）において隙間Ｈが形成されている。また、本実施の形態では、シャーシ５０の表側には底面６１を有する再生デッキ６０が配設されている。そして、該底面６１からは表側に向かって略柱状の支持突起６２が突出している。該支持突起６２は、円形穴部５４の略中央に位置している。
【００３２】
図７に示すように、オイルダンパ１０は、容器体１２を円形穴部５４に挿入する形でシャーシ５０に取り付けられる。容器体１２を円形穴部５４に挿入する際には、窪み部２３に支持突起６２が嵌め込まれる。図８に示すように、オイルダンパ１０は、例えば、鍔部２６が鉤部５７に対して反時計方向側に位置する状態で挿入穴５３に挿入される。そして、図８に示すように、容器体１２が円形穴部５４に挿入された状態で、鍔板部３４が隙間Ｈに嵌まり込むようにオイルダンパ１０を時計回り方向に回動させる。すると、一方の突起（図８において時計回り側に位置する突起）４２の外側斜面４２ｂが内方延出部５７ｂと接触し、外側斜面４２ｂと内方延出部５７ｂの縁部とが摺動して一方の突起４２が内方延出部５７ｂの表側位置に入り込む。さらに、オイルダンパ１０を回動させ続けると、一方の突起４２が内方延出部５７ｂから顔を出し、２つの突起４２の間に内方延出部５７ｂが入り込んだ状態となる（図９参照）。
【００３３】
鍔部２６には円弧凸部４０が設けられており、容器体１２を円形穴部５４に挿入した状態では、円弧凸部４０の天面４０ａと平板部５２の平坦面５１とが当接する。そのため、鍔板部３４の一部が隙間Ｈに嵌まり込んだ状態で、オイルダンパ１０は安定した状態で回動し続けることが可能となる。また、オイルダンパ１０が回動し、鍔板部３４の前後の端部３４ｂ（図１０参照）が矩形穴部５５に差しかかった場合でも、円弧凸部４０の天面４０ａが平坦面５１と当接しているため、鍔部２６が傾いて矩形穴部５５の内部に入り込まなくなる。さらに、根元部３７のＶ字の付け根部分にはテーパ面３７ｆが形成されている。このため、図８の状態からオイルダンパ１０を回動させ、根元部３７が一旦、矩形穴部５５の内部に入り込んでも、該テーパ面３７ｆが矩形穴部５５の外縁と摺動することにより、根元部３７が再度、平板部５２の上に乗りあがり易くなっている。
【００３４】
図９に示すように、内方延出部５７ｂが２つの突起４２の間に入り込んだ状態（挟み込まれた状態）では、内方延出部５７ｂの周方向の側面の両部は突起４２，４２のそれぞれの内側斜面４２ａ，４２ａの斜面途中に接触し、周方向のガタがない状態とされている。なお、内方延出部５７ｂの周方向の長さを内側斜面４２ａ，４２ａの間の距離と全く同一に形成しても良い。この状態においては、さらに、鍔板部３４における突起４２，４２との間の部分となる中央部３４ａ（図１０参照）が内方延出部５７ｂによって表側に向かって押圧される。しかしながら、鍔板部３４の前後の端部３４ｂ近傍からは根元部３７が表側に向かって突出しているため、当該根元部３７が平坦面５１と当接することで、鍔板部３４の前後の端部３４ｂは裏側に向かって反力を受ける。このため、鍔板部３４は図２のＡ−Ａ線を通るＸＺ平面を中心として前後に対称となるように表側に向かって凸状に撓んだ状態となる（図１０参照）。鍔板部３４が表側に向かって撓むと、内側斜面４２ａの途中部と内方延出部５７ｂの角部との接点Ｇを交点として、内側斜面４２ａと内方延出部５７ｂの側面との間に形成される角度αが撓まない場合に比べさらに小さくなる。したがって、内方延出部５７ｂが２つの突起４２，４２によってより強い力で狭まれた状態となる。また、円弧凸部４０は矩形穴部５５の内部に嵌まり込んだ状態となっている。このため、鍔板部３４の裏側では内方延出部５７ｂが突起４２，４２の間に係合し、鍔板部３４の表側では円弧凸部４０が平板部５２の矩形穴部５５に係合した状態となっている。この状態では、鉤部５７の先端、すなわち内方延出部５７ｂの先端が円弧穴４１にわずかに入り込んでいる。この結果、鍔部２６へは、鉤部５７の内方延出部５７ｂの押圧力によって径方向外方への力が働く。２つの鍔部２６に互いに逆向きとなる径方向外方への力が働くため、オイルダンパ１０は径方向への移動が阻止される。すなわち、径方向のガタもなくなる。
【００３５】
以上のように構成されたオイルダンパ１０は、鍔板部３４から裏側に向かって突出する２つの突起４２，４２を有している。このため、オイルダンパ１０をシャーシ５０に取り付けると、鍔部２６は、突起４２，４２によって内方延出部５７ｂを狭持した状態で、該内方延出部５７ｂの表側の隙間Ｈに嵌まり込む。したがって、鍔部２６が周方向に沿ってガタつくことがなくなる。その結果、オイルダンパ１０がシャーシ５０に対して周方向に沿ってガタつくの防止できる。また、突起４２には外側に向かって傾斜する外側斜面４２ｂが形成されている。このため、外側斜面４２ｂと内方延出部５７ｂの端部とが摺動することで、鍔部２６を内方延出部５７ｂの表側に容易に入り込ませることが可能となる。
【００３６】
また、オイルダンパ１０は、鍔板部３４の前後の端部３４ｂから表側に突出する根元部３７を有している。このため、突起４２，４２によって内方延出部５７ｂが狭持された状態では、鍔部２６は内方延出部５７ｂを支点として表側に向かって凸状に撓む。したがって、撓んだ鍔部２６の復元力によって、該鍔部２６が表裏方向にガタつかなくなる。その結果、オイルダンパ１０がシャーシ５０に対して表裏方向にガタつくのを防止できる。また、鍔部２６が表側に向かって撓むことにより、内側斜面４２ａと内方延出部５７ｂの側面との間に形成される角度αが小さくなる。したがって、内方延出部５７ｂを突起４２，４２によってより強い力で狭持することが可能となる。その結果、オイルダンパ１０の周方向へのガタツキの発生をより確実に防止することができる。
【００３７】
また、オイルダンパ１０は、鍔板部３４から表側に向かって突出する円弧凸部４０を有している。したがって、鍔部２６が隙間Ｈに嵌まり込んでも、オイルダンパ１０を安定した状態で回動させることが可能となる。また、鍔板部３４の前後の端部３４ｂが矩形穴部５５に差しかかった場合でも、円弧凸部４０の天面４０ａが平坦面５１と当接しているため、鍔部２６は水平な状態を維持できる。その結果、鍔部２６が傾いて矩形穴部５５の内部に入り込むのを防止できる。また、内方延出部５７ｂが突起４２，４２の間に係合した状態では、円弧凸部４０は矩形穴部５５の内部に嵌まり込む。このため、鍔部２６はその表裏両側において、シャーシ５０と係合した状態となる。その結果、オイルダンパ１０の周方向のガタツキの発生をより確実に防止することが可能となる。
【００３８】
また、オイルダンパ１０の鍔板部３４には、円弧穴４１が設けられている。このため、鍔部２６の材質や形状に応じて鍔部２６の撓み量を調節することが可能となる。また、この円弧穴４１に鉤部５７の先端が入り込み、オイルダンパ１０を径方向外方に移動させようとする。この力は２つの鍔部２６に対して互いに逆方向に働くので、オイルダンパ１０のガタツキもなくなる。
【００３９】
また、オイルダンパ１０の根元部３７には、テーパ面３７ｄ，３７ｅ，３７ｆが形成されている。このため、該テーパ面３７ｄ，３７ｅ，３７ｆが矩形穴部５５の外縁と摺動することにより，鍔部２６が隙間Ｈに入り込みやすくなる。したがって、オイルダンパ１０を回動させて確実に取付状態にすることができる。
【００４０】
また、オイルダンパ１０は、対向する２つの鍔部２６，２６が鉤部５７に係合して下方に押圧された状態でシャーシ５０に取り付けられる。したがって、シャーシ５０に取り付けられたオイルダンパ１０へは、支持突起６２を通るＸＺ平面に沿って表側に向かって凸状に撓ませようとする力が加わる。具体的には、図９における左右両側の鍔部２６，２６が押圧されて表側に突出し、基部２５の中央が表側に向かって上がるような力がオイルダンパ１０に働く。したがって、凸状に撓ませようとする力に対抗するオイルダンパ１０の復元力を利用して、オイルダンパ１０をシャーシ５０に対してより強固に係合させることが可能となる。したがって、オイルダンパ１０がシャーシ５０に対してガタつくのをより確実に防止できる。
【００４１】
以上、本発明の一実施の形態について説明したが、本発明は上述の形態に限定されることなく、種々変形した形態にて実施可能である。
【００４２】
上述の実施の形態では、ダンパの取付機構をオイルダンパ１０に適用させたが、当該ダンパの取付機構をゴムダンパ等の他の弾性部材をシャーシ等の取付部材に取り付ける際にも適用できる。例えば、基台部１３に配置される弾性部をゴム等の他の弾性部材によって形成することも可能である。
【００４３】
また、上述の実施の形態では、突起４２の先端を鋭角に尖らせた形態としているが、突起４２の先端を曲面状として滑らかに形成する等、他の形態としても良い。また、斜面４２ａ，４２ｂを曲面状に形成するようにしても良い。
【００４４】
また、上述の実施の形態では、オイルダンパ１０を挿入穴５３に挿入した状態で、鍔部２６を鉤部５７に係合させる形態としているが、オイルダンパ１０を挿入する形態に限らず、例えば、図１０に示すシャーシ５０の上方の構成をそのままとし、シャーシ５０の下方の構成を切り取り、その切り取った部分を上下逆として上方の構成の上に乗せる構成とすれば、オイルダンパ１０を挿入させる必要がなくなる。このように、挿入穴５３は必須の構成ではない。また、鉤部５７を図１０に示す位置とは逆にシャーシ５０の底面６１に向かい合う面側に設けても良い。その場合、根元部３７と円弧凸部４０は鍔部２６の裏面に設けられ、突起４２は鍔部２６の表面に設けられることとなる。
【００４５】
また、上述の実施の形態では、鍔部２６は対向するように一対に２つ設けられているが、鍔部２６の数は２つに限定されるものではなく、例えば、９０°おきに合計４つ、２対に設けるようにしても良い。また、１２０°おきに合計３つ設けるようにしても良い。これらの場合、シャーシ５０には鍔部２６の数と対応するように鉤部５７を設ける必要がある。さらには、鍔部２６を複数設け、その中の１つのみに円弧穴４１、突起４２などを設けるようにしたり、鍔部２６自体を１つのみ設けるようにしても良い。
【００４６】
また、上述の実施の形態では、各鍔板部３４に円弧状の円弧穴４１を１つ設けたが、鍔板部３４に設けられる穴の形状は、円弧状に限定されるものではない。また、鍔板部３４を貫通するように複数の穴を設けるようにしても良い。また、円弧穴４１を設けないようにしても良い。また、中空部となる円弧穴４１を貫通孔としたが、中空部は貫通していない凹部としても良い。
【００４７】
また、上述の実施の形態では、根元部３７を略Ｖの字状の形態で形成したが、根元部３７の形状は略Ｖ字状に限定されるものではなく、例えば、三角形等の他の形状としても良い。
【００４８】
また、オーディオ装置としては、ＣＤ再生装置、光ディスク記録装置、光ディスク録音装置など音または／および画像を記録または／および再生する装置を含むものである。また、本発明は、オーディオ装置の他に、工作機械、ファクシミリ装置などあらゆる装置に適用することができる。
【産業上の利用可能性】
【００４９】
本発明のダンパおよびダンパの取付機構は、車載用機器等の各種電子機器や各種電子機器を取り付ける産業において利用することができる。
【図面の簡単な説明】
【００５０】
【図１】本発明の一実施の形態に係るオイルダンパの斜視図である。
【図２】本発明の一実施の形態に係るオイルダンパの平面図である。
【図３】本発明の一実施の形態に係るオイルダンパを図２中のＡ−Ａ線で切断した断面図である。
【図４】図１中のオイルダンパを矢示Ｂ方向から見た側面図である。
【図５】図１中のオイルダンパを矢示Ｃ方向から見た側面図である。
【図６】本発明の一実施の形態に係るオイルダンパの底面図である。
【図７】本発明の一実施の形態に係るオイルダンパをシャーシに取り付ける前の状態を示す斜視図である。
【図８】本発明の一実施の形態に係るオイルダンパをシャーシの挿入穴に挿入した直後の状態を示す平面図である。
【図９】本発明の一実施の形態に係るオイルダンパをシャーシに取り付けた状態を示す平面図である。
【図１０】本発明の一実施の形態に係るオイルダンパをシャーシに取り付けた状態を説明するための図であり、図９中のＤ−Ｄ線で切断した断面図である。
【符号の説明】
【００５１】
１０…オイルダンパ（ダンパ）
１２…容器体（弾性部の一部）
１３…基台部
１６…シリコンオイル（弾性部の一部）
２６…鍔部
２８…支持部
３７…根元部（第２の突起）
４０…円弧凸部（凸部）
４０ａ…天面（平坦な面）
４１…円弧穴（中空部）
４２…突起
４２ａ…内側斜面
５０…シャーシ（取付部材）
５１…平坦面
５２…平板部
５３…挿入穴
５７…鉤部
Ｈ…隙間
【図１】
0004911086.tif 000002
【図２】
0004911086.tif 000003
【図３】
0004911086.tif 000004
【図４】
0004911086.tif 000005
【図５】
0004911086.tif 000006
【図６】
0004911086.tif 000007
【図７】
0004911086.tif 000008
【図８】
0004911086.tif 000009
【図９】
0004911086.tif 000010
【図１０】
0004911086.tif 000011